(57)【要約】【課題】本発明は、熱交換ユニットの背面ケースへの取り付け作業が確実化及び容易化され、また、組立工程が増えてしまうことが抑制された空気調和機の室内機を得るものである。また、そのような空気調和機の室内機の製造方法を得るものである。【解決手段】空気調和機の室内機１００は、一対の壁面１２、１３と、一対の壁面１２、１３間を左右方向に延びる熱交換器収容溝１５と、が形成された背面ケース１と、熱交換器収容溝１５の前方に配設された送風ファン２と、上方から送風ファン２の前側に延出する前側熱交換器２１と、上方から送風ファン２の後側に延出し、下端部が熱交換器収容溝１５に収容された後側熱交換器２２と、前側熱交換器２１及び後側熱交換器２２を一体的に固定する熱交換器固定部材２３と、を有する熱交換ユニット３と、を備え、一対の壁面１２、１３のうちの一方の壁面１２は、熱交換器収容溝１５の端部１５ａのうちの少なくとも上側に位置する領域を、覆わない形状である。【選択図】図２
2016023908.tif 000002
【特許請求の範囲】
【請求項１】
一対の壁面と、前記一対の壁面間を左右方向に延びる熱交換器収容溝と、が形成された背面ケースと、
前記熱交換器収容溝の前方に配設された送風ファンと、
上方から前記送風ファンの前側に延出する前側熱交換器と、上方から前記送風ファンの後側に延出し、下端部が前記熱交換器収容溝に収容された後側熱交換器と、前記前側熱交換器及び前記後側熱交換器を一体的に固定する熱交換器固定部材と、を有する熱交換ユニットと、
を備え、
前記一対の壁面のうちの一方の壁面は、前記熱交換器収容溝の端部のうちの少なくとも上側に位置する領域を、覆わない形状である、
ことを特徴とする空気調和機の室内機。
【請求項２】
左右方向と直交する面で前記背面ケースを切断して得られる断面図形の輪郭線と、
前記熱交換ユニットのうちの、該面を基準とする前記一対の壁面のうちの他方の壁面側の領域を、該面に投影して得られる投影図形の輪郭線と、
が重ならないことが、
左右方向の各位置を通る該面において満たされた、
ことを特徴とする請求項１に記載の空気調和機の室内機。
【請求項３】
前記一対の壁面のうちの他方の壁面は、前記熱交換器収容溝の端部のうちの一部の領域を、覆う形状であり、
前記熱交換器固定部材は、前記前側熱交換器及び前記後側熱交換器の左右方向の、前記一対の壁面のうちの他方の壁面側の端部に取り付けられた熱交換器固定板であり、
前記熱交換器固定板は、前記壁面と嵌合して、前記前側熱交換器及び前記後側熱交換器を介さずに前記送風ファンに至る風路を遮蔽する、
ことを特徴とする請求項１又は２に記載の空気調和機の室内機。
【請求項４】
前記背面ケースの前記熱交換器収容溝の下側に、左右方向に延びる接続パイプ収容空間が形成され、
前記熱交換ユニットは、前記前側熱交換器及び前記後側熱交換器の左右方向の、前記一対の壁面のうちの一方の壁面側の端部から前記接続パイプ収容空間に延出する接続パイプを有する、
ことを特徴とする請求項１〜３の何れか一項に記載の空気調和機の室内機。
【請求項５】
一対の壁面と、前記一対の壁面間を左右方向に延びる熱交換器収容溝と、が形成された背面ケースと、
前記熱交換器収容溝の前方に配設された送風ファンと、
上方から前記送風ファンの前側に延出する前側熱交換器と、上方から前記送風ファンの後側に延出し、下端部が前記熱交換器収容溝に収容された後側熱交換器と、前記前側熱交換器及び前記後側熱交換器を一体的に固定する熱交換器固定部材と、を有する熱交換ユニットと、
を備えた空気調和機の室内機の製造方法であって、
前記一対の壁面のうちの一方の壁面は、前記熱交換器収容溝の端部のうちの少なくとも上側に位置する領域を、覆わない形状であり、
前記熱交換ユニットは、左右方向の前記一対の壁面のうちの一方の壁面側から挿入されて、前記背面ケースに取り付けられる、
ことを特徴とする空気調和機の室内機の製造方法。
【発明の詳細な説明】
【技術分野】
【０００１】
本発明は、空気調和機の室内機と、空気調和機の室内機の製造方法と、に関するものである。
【背景技術】
【０００２】
従来、室内壁面に据え付けられる壁掛け型の空気調和機の室内機として、一対の壁面と、一対の壁面間を左右方向に延びる熱交換器収容溝と、が形成された背面ケースと、熱交換器収容溝の前方に配設された送風ファンと、熱交換ユニットと、を備えたものがある。熱交換ユニットは、上方から送風ファンの前側に延出する前側熱交換器と、上方から送風ファンの後側に延出し、下端部が熱交換器収容溝に収容された後側熱交換器と、前側熱交換器及び後側熱交換器を一体的に固定する熱交換器固定部材と、を有する。近年、高性能化のために、後側熱交換器が拡大される傾向にある（例えば、特許文献１を参照。）。
【先行技術文献】
【特許文献】
【０００３】
【特許文献１】特開２００７−６４６２３号公報（段落［００１４］〜段落［００４３］、図１〜図１４）
【発明の概要】
【発明が解決しようとする課題】
【０００４】
従来の空気調和機の室内機では、背面ケースを室内壁面に据え付けられる状態と同様の状態に起こし、熱交換ユニットを上方から覆い被せるように取り付けるため、背面ケースが不安定であることに起因して、熱交換ユニットの背面ケースへの取り付けが不確実であり、また、その取り付けの作業性が低い。また、背面ケースを安定化させるために、背面ケースを起こした状態で維持する治具を用いることも可能であるが、治具の着脱の分だけ、組立工程が増えてしまう。つまり、従来の空気調和機の室内機では、熱交換ユニットの背面ケースへの取り付け作業が、不確実で且つ困難であり、また、組立工程を増やさざるを得ないという問題点があった。
【０００５】
本発明は、上記のような課題を背景としてなされたものであり、熱交換ユニットの背面ケースへの取り付け作業が確実化及び容易化され、また、組立工程が増えてしまうことが抑制された空気調和機の室内機を得るものである。また、そのような空気調和機の室内機の製造方法を得るものである。
【課題を解決するための手段】
【０００６】
本発明に係る空気調和機の室内機は、一対の壁面と、前記一対の壁面間を左右方向に延びる熱交換器収容溝と、が形成された背面ケースと、前記熱交換器収容溝の前方に配設された送風ファンと、上方から前記送風ファンの前側に延出する前側熱交換器と、上方から前記送風ファンの後側に延出し、下端部が前記熱交換器収容溝に収容された後側熱交換器と、前記前側熱交換器及び前記後側熱交換器を一体的に固定する熱交換器固定部材と、を有する熱交換ユニットと、を備え、前記一対の壁面のうちの一方の壁面は、前記熱交換器収容溝の端部のうちの少なくとも上側に位置する領域を、覆わない形状である。
【発明の効果】
【０００７】
本発明に係る空気調和機の室内機では、一対の壁面のうちの一方の壁面が、熱交換器収容溝の端部のうちの少なくとも上側に位置する領域を、覆わない形状である。そのため、背面ケースを寝かした状態であっても、熱交換ユニットを、左右方向の一対の壁面のうちの一方の壁面側から挿入して、背面ケースに取り付けることが可能であるため、熱交換ユニットの背面ケースへの取り付け作業が確実化及び容易化され、また、組立工程が増えてしまうことが抑制される。
【図面の簡単な説明】
【０００８】
【図１】本発明の実施の形態１に係る空気調和機の室内機の、分解斜視図である。
【図２】本発明の実施の形態１に係る空気調和機の室内機の、背面ケースの斜視図である。
【図３】本発明の実施の形態１に係る空気調和機の室内機の、背面ケースの斜視図である。
【図４】本発明の実施の形態１に係る空気調和機の室内機の、熱交換ユニットの斜視図である。
【図５】本発明の実施の形態１に係る空気調和機の室内機の、各部材が取り付けられた状態での断面図である。
【図６】本発明の実施の形態１に係る空気調和機の室内機の、熱交換ユニットの取り付け方を説明するための図である。
【図７】本発明の実施の形態１に係る空気調和機の室内機の、熱交換ユニットの取り付け方を説明するための図である。
【図８】本発明の実施の形態１に係る空気調和機の室内機の、背面ケースの壁面に形成された凹部と熱交換ユニットの熱交換器固定板に形成された凸部との関係を説明するための図である。
【発明を実施するための形態】
【０００９】
以下、本発明に係る空気調和機の室内機について、図面を用いて説明する。
なお、以下で説明する構成、製造方法等は、一例であり、本発明に係る空気調和機の室内機は、そのような構成、製造方法等に限定されない。また、各図において、細かい構造については、適宜図示を簡略化又は省略している。
【００１０】
実施の形態１．
実施の形態１に係る空気調和機の室内機を説明する。
＜空気調和機の室内機の構成及び製造方法＞
実施の形態１に係る空気調和機の室内機の構成及び製造方法について説明する。
図１は、本発明の実施の形態１に係る空気調和機の室内機の、分解斜視図である。
図１に示されるように、空気調和機の室内機１００は、背面ケース１と、送風ファン２と、熱交換ユニット３と、電気品箱４と、吹出口ユニット５と、枠体６と、前面意匠パネル７と、フィルター８と、を備える。
【００１１】
図２及び図３は、本発明の実施の形態１に係る空気調和機の室内機の、背面ケースの斜視図である。
図２及び図３に示されるように、背面ケース１のベース１１の左右方向の両端部には、前方へ突出する一対の壁面（一方の壁面１２、他方の壁面１３）が形成される。送風ファン２は、例えば、クロスフローファンであり、回転軸が左右方向を向く状態で、一方の壁面１２及び他方の壁面１３によって保持される。一方の壁面１２及び他方の壁面１３の間には、送風ファン２の外周面に沿う形状（つまり円弧状）の風路壁１４が形成される。そして、風路壁１４とベース１１との間に、左右方向に延びる熱交換器収容溝１５が形成される。熱交換器収容溝１５の一方の端部１５ａのうちの少なくとも上側に位置する領域は、一方の壁面１２によって覆われない。つまり、背面ケース１の一方の端部１５ａが有る側の壁面１２の上面には、後述する熱交換ユニット３の熱交換器固定板２３の凸部２３ａを、左右方向から通過させて、熱交換器収容溝１５に進入させることができる程度の広さの切り欠きが形成される。また、熱交換器収容溝１５の他方の端部１５ｂのうちの一部の領域は、他方の壁面１３によって覆われる。他方の壁面１３には、後述する熱交換ユニット３の熱交換器固定板２３の凸部２３ａに沿う形状の凹部１３ａが形成される。また、背面ケース１の熱交換器収容溝１５の下側には、左右方向に延びる接続パイプ収容空間１６が形成される。
【００１２】
図４は、本発明の実施の形態１に係る空気調和機の室内機の、熱交換ユニットの斜視図である。
図４に示されるように、熱交換ユニット３は、前側熱交換器２１と、後側熱交換器２２と、前側熱交換器２１及び後側熱交換器２２を一体的に固定する熱交換器固定板２３と、前側熱交換器２１及び後側熱交換器２２と室外機の冷媒配管とを接続する接続パイプ２４と、を有する。後側熱交換器２２が、実際に熱交換しないもの、例えばプラスチックで構成されるダミー部品等であってもよい。熱交換器固定板２３は、前側熱交換器２１及び後側熱交換器２２の左右方向の、他方の壁面１３に近い側の端部に、取り付けられる。熱交換器固定板２３の後側熱交換器２２を固定する側には、他方の壁面１３の凹部１３ａに沿う形状の凸部２３ａが形成される。接続パイプ２４は、前側熱交換器２１及び後側熱交換器２２の左右方向の、一方の壁面１２に近い側の端部から延出する。接続パイプ２４には、冷凍サイクルを循環する冷媒が流入する。
【００１３】
図５は、本発明の実施の形態１に係る空気調和機の室内機の、各部材が取り付けられた状態での断面図である。
図５に示されるように、背面ケース１に、送風ファン２と、熱交換ユニット３と、電気品箱４（図示省略）と、吹出口ユニット５と、枠体６と、が取り付けられる。枠体６は、背面ケース１にネジ等で固定される。枠体６に前面意匠パネル７と、フィルター８と、が着脱自在に取り付けられる。
【００１４】
送風ファン２は、左右方向に延びる熱交換器収容溝１５の前側に配設される。また、熱交換ユニット３の前側熱交換器２１は、上方から送風ファン２の前側に延出するように配設され、熱交換ユニット３の後側熱交換器２２は、上方から送風ファン２の後側に延出し、下端部が熱交換器収容溝１５に収容されるように配設される。また、接続パイプ２４は、接続パイプ収容空間１６に収容される。
【００１５】
送風ファン２が駆動すると、枠体６の上面に形成された吸入口６ａから室内空気が吸い込まれ、熱交換ユニット３の前側熱交換器２１及び後側熱交換器２２で冷媒と熱交換して冷気、暖気等となり、その冷気、暖気等が、吹出口ユニット５の左右風向調整板５ａ及び上下風向調整板５ｂを介して室内に送風される。左右風向調整板５ａ及び上下風向調整板５ｂの向きが調整されることで、その冷気、暖気等の風向が調整される。
【００１６】
図６及び図７は、本発明の実施の形態１に係る空気調和機の室内機の、熱交換ユニットの取り付け方を説明するための図である。なお、図６では、熱交換ユニット３の取り付け作業が途中の状態を示しており、図７では、熱交換ユニット３の取り付け作業が完了した状態を示している。
図６及び図７に示されるように、寝かされた状態の背面ケース１に、送風ファン２を載せ、熱交換ユニット３の熱交換器固定板２３が取り付けられた側を先頭にして、熱交換ユニット３の熱交換器固定板２３の凸部２３ａを熱交換器収容溝１５の一方の端部１５ａに左右方向から挿入するとともに、熱交換ユニット３の接続パイプ２４を接続パイプ収容空間１６に左右方向から挿入して、スライドさせる。熱交換器収容溝１５の一方の端部１５ａのうちの少なくとも上側に位置する領域が、一方の壁面１２によって覆われないため、熱交換ユニット３の熱交換器固定板２３の凸部２３ａを容易に挿入することができる。
【００１７】
特に、図７に示される状態で側面視した場合に、背面ケース１の他方の壁面１３以外の箇所が、熱交換器固定板２３と重ならない状態であると、熱交換ユニット３を左右方向に真っ直ぐ挿入してスライドさせることが可能となるため、熱交換ユニット３の熱交換器固定板２３の凸部２３ａを挿入することと、熱交換ユニット３をスライドさせることと、が更に容易化される。つまり、左右方向と直交する面で背面ケース１を切断して得られる断面図形の輪郭線と、熱交換ユニット３のうちの、その面を基準とする他方の壁面１３側の領域を、その面に投影して得られる投影図形の輪郭線と、が重ならないことが、左右方向の各位置を通る面それぞれにおいて満たされる場合に、熱交換ユニット３を挿入することと、熱交換ユニット３をスライドさせることと、が更に容易化される。
【００１８】
図８は、本発明の実施の形態１に係る空気調和機の室内機の、背面ケースの壁面に形成された凹部と熱交換ユニットの熱交換器固定板に形成された凸部との関係を説明するための図である。
図８に示されるように、図７に示されるような状態になると、熱交換ユニット３の熱交換器固定板２３の凸部２３ａは、背面ケース１の壁面１３の凹部１３ａに嵌合して、前側熱交換器２１及び後側熱交換器２２を介さずに、送風ファン２に至る風路を遮断する。
【００１９】
＜空気調和機の室内機の作用＞
実施の形態１に係る空気調和機の室内機の作用について説明する。
空気調和機の室内機１００では、一方の壁面１２が、熱交換器収容溝１５の一方の端部１５ａのうちの少なくとも上側に位置する領域を、覆わない形状である。従来の空気調和機の室内機では、一方の壁面１２が、熱交換器収容溝１５の一方の端部１５ａのうちの全領域を、左右方向から覆う形状であったため、熱交換ユニット３を、左右方向から挿入して取り付けることができなかった。一方、空気調和機の室内機１００では、熱交換ユニット３を、左右方向の一方の壁面１２側から挿入して、背面ケース１に取り付けることが可能であるため、背面ケース１を寝かした状態で熱交換ユニット３を取り付けることが可能となって、熱交換ユニット３の背面ケース１への取り付け作業が確実化及び容易化され、また、組立工程が増えてしまうことが抑制される。なお、特に、空気調和機の室内機１００が、後側熱交換器２２が拡大されたものである程、上述の効果が顕著となる。
【００２０】
また、空気調和機の室内機１００では、左右方向と直交する面で背面ケース１を切断し得られる断面図形の輪郭線と、熱交換ユニット３のうちの、その面を基準とする他方の壁面１３側の領域を、その面に投影して得られる投影図形の輪郭線と、が重ならないことが、左右方向の各位置を通る面それぞれにおいて満たされる。そのため、熱交換ユニット３を左右方向に真っ直ぐ挿入してスライドさせることが可能となるため、熱交換ユニット３を挿入することと、熱交換ユニット３をスライドさせることと、が更に容易化される。
【００２１】
また、空気調和機の室内機１００では、熱交換ユニット３の熱交換器固定板２３の凸部２３ａが、背面ケース１の壁面１３の凹部１３ａに嵌合して、前側熱交換器２１及び後側熱交換器２２を介さずに、送風ファン２に至る風路を遮断する。そのため、背面ケース１に形成された左右方向に延びる円弧状の風路壁１４と、壁面１３と、熱交換器固定板２３と、が、前側熱交換器２１及び後側熱交換器２２を介して送風ファン２に至る風路を、一体的に形成することとなって、前側熱交換器２１及び後側熱交換器２２を通過しない空気が、送風ファン２に流入することが抑制される。そして、前側熱交換器２１及び後側熱交換器２２で熱交換していない空気が、送風ファン２に流入して、送風ファン２に露が付着して空調空間に露が垂れること等が抑制されて、空気調和機の室内機１００が高品質化される。
【００２２】
また、空気調和機の室内機１００では、背面ケース１の熱交換器収容溝１５の下側に、左右方向に延びる接続パイプ収容空間１６が形成され、熱交換ユニット３は、前側熱交換器２１及び後側熱交換器２２の左右方向の、一方の壁面１２に近い側の端部から接続パイプ収容空間１６に延出する接続パイプ２４を有する。つまり、空気調和機の室内機１００では、接続パイプ２４を取り付けた状態で、熱交換ユニット３を背面ケース１に左右方向から取り付けることが可能であるため、熱交換ユニット３の背面ケース１への取り付け作業が更に確実化及び容易化され、また、組立工程が増えてしまうことが更に抑制される。
【符号の説明】
【００２３】
１  背面ケース、２  送風ファン、３  熱交換ユニット、４  電気品箱、５  吹出口ユニット、５ａ  左右風向調整板、５ｂ  上下風向調整板、６  枠体、６ａ  吸入口、７  前面意匠パネル、８  フィルター、１１  ベース、１２  一方の壁面、１３  他方の壁面、１３ａ  凹部、１４  風路壁、１５  熱交換器収容溝、１５ａ  一方の端部、１５ｂ  他方の端部、１６  接続パイプ収容空間、２１  前側熱交換器、２２  後側熱交換器、２３  熱交換器固定板、２３ａ  凸部、２４  接続パイプ、１００  空気調和機の室内機。
【図１】
2016023908.tif 000003
【図２】
2016023908.tif 000004
【図３】
2016023908.tif 000005
【図４】
2016023908.tif 000006
【図５】
2016023908.tif 000007
【図６】
2016023908.tif 000008
【図７】
2016023908.tif 000009
【図８】
2016023908.tif 000010